(57)【要約】      （修正有）【課題】普段はタイツと同様に着用でき、必要に応じて腰から足首付近までの保温効果を得つつ素足になることができ、しかもデザイン性の高い幼児用下衣を提供する。【解決手段】腰から足首近傍までを覆うレギンス部１と、靴下部２とからなる幼児用下衣である。レギンス部１と、靴下部２とは分離可能である。レギンス部１の裾は靴下部２の上端部分を覆うことができる。レギンス部１の裾部分には全周にわたってフリル３が取り付けられている。【選択図】図１
0003192045.tif 000002
【実用新案登録請求の範囲】
【請求項１】
腰から足首近傍までを覆うレギンス部(1)と、該レギンス部(1)と分離している靴下部(2)とからなり、該レギンス部(1)の裾は該靴下部(2)の上端部分を覆うことができ、該レギンス部(1)の裾部分には全周にわたってフリル(3)が取り付けられていることを特徴とする幼児用下衣。
【請求項２】
靴下部の足裏部分に滑り止め加工が施されていることを特徴とする請求項１の幼児用下衣。
【考案の詳細な説明】
【技術分野】
【０００１】
本考案は、幼児がタイツの代わりに着用する下衣（ボトムス）に関するものである。
【背景技術】
【０００２】
寒くなると身体が冷えやすい。特に幼児は温度差に敏感なので下半身にタイツを履かせることが多い。図４は従来からあるタイツ(20)を示した図である。タイツ(20)は腰部分(20b)からつま先部分(20a)まで一体に成形されている。
【０００３】
タイツを履くことにより腰からつま先までの保温効果を高めることができる。寒い時期にはタイツを履かせている幼児が多くなるが、靴を脱いで室内にいる場合、タイツは滑りやすいので、幼児が転倒してケガをしてしまうことがある。
【０００４】
また、靴を履かずに庭や公園などで遊ぶとタイツの足の裏部分が泥や砂で汚れることや、濡れてしまうことがあり、不衛生となる。
【０００５】
一方、幼児が素足でいることには、土踏まずを小さいうちにしっかりと作る、足の指をしっかりと使えるようになる、暑い日でも足が蒸れない、足裏を刺激することにより脳の活性化につながる等の効果があると言われている。
【０００６】
以上のような理由により多くの保育園，託児所等では預かった幼児のタイツを脱がせることが一般的となっている。しかし、タイツを脱がせると下半身の多くが露出し、幼児の身体が冷えやすくなるという問題が出てくる。
【０００７】
幼児を裸足にすることと、タイツを履かせて保温することの両方の矛盾する効果を得るための工夫が特開平１０−２３７７０３号公報にて提案されている。そこでは幼児を砂場等で遊ばせる時に、靴下またはタイツを完全に脱がせることなく、幼児を素足にして遊ばせることができる幼児用靴下またはタイツに関するアイデアが示されている。
【０００８】
具体的には、幼児用タイツの足部の甲から足首までの何れかの任意箇所に、幼児の足首が脱出可能な空隙部を形成し、その空隙部より幼児の足首より先をタイツ外部に出して露出させることにより幼児がタイツを履きつつ素足で遊ぶことができる構成となっている。
【０００９】
しかしながら、このタイプのタイツの場合、空隙部より足を抜いた後のたるんだ靴下部分が邪魔になる。たるんだ靴下部分は引きずって汚してしまうことや、足に干渉して歩くにくくなることが考えられ、砂場であれば靴下内に砂が入り込んでしまう。更に、たるんだ靴下部分を自ら踏んでしまうことや、何か周囲の物に引っかけて転倒する危険もある。
【００１０】
更に小さな空隙部より足先を出すことや、もとのように靴下内に足先を戻す作業は相手が幼児であることもあって容易ではなく、時間や手間がかかる。
【先行技術文献】
【特許文献】
【００１１】
【特許文献１】特開平１０−２３７７０３号公報
【考案の概要】
【考案が解決しようとする課題】
【００１２】
そこで本考案は、タイツの保温効果を得つつ、必要なときに容易に素足となることができる幼児用下衣を提供することを課題とする。
【課題を解決するための手段】
【００１３】
請求項１記載の幼児用下衣は、腰から足首近傍までを覆うレギンス部(1)と、該レギンス部(1)とは分離している靴下部(2)とからなり、該レギンス部(1)の裾は該靴下部(2)の上端部分を覆うことができ、該レギンス部(1)の裾部分には全周にわたってフリル(3)が取り付けられていることを特徴とする。
【００１４】
これによれば、レギンス部(1)と靴下部(2)の両方を着用することにより、タイツと同様に腰からつま先までを保温することができる。また、必要に応じて靴下部(2)のみを脱げば、腰から足首あたりまでを保温しつつ、素足にすることができる。レギンス部(1)と靴下部(2)の両方を着用している際には、レギンス部(1)の裾にあるフリル(3)のおかけで、レギンス部(1)と靴下部(2)との境目がわかりにくくデザインに一体性がある。また、フリル(3)がレギンス部(1)と靴下部(1)との境目を覆っているため、幼児がレギンス部(1)をまくり上げることや靴下部(2)を勝手に脱いでしまうことを防ぎやすくなる。
【００１５】
請求項２記載の幼児用下衣は請求項１の幼児用下衣において、靴下部(2)の足裏部分(5)に滑り止め加工が施されていることを特徴とする。
【００１６】
これによれば、靴下部(2)を履いているときでも滑りにくくなる。床の状態により適宜この滑り止めの施された靴下部を着用することにより、転倒を防止することができる。
【考案の効果】
【００１７】
普段はタイツと同様に着用でき、必要に応じて腰から足首付近までの保温効果を得つつ素足になることのでき、しかもデザイン性の高い幼児用下衣を提供することができる。
【図面の簡単な説明】
【００１８】
【図１】実施例１を示した図（分離させた状態）。
【図２】実施例１を示した図（重ねた状態）。
【図３】実施例２を示した図。
【図４】従来のタイツを示した図。
【考案を実施するための形態】
【００１９】
以下、本考案を好適な実施例を用いて説明する。
【実施例１】
【００２０】
図１は本実施例の幼児用下衣を示した図である。この幼児用下衣は腰から足首付近までを覆うレギンス部(1)と、靴下として履くことのできる靴下部(2)とからなる。レギンス部(1)と靴下部(2)とは分離している。靴下部(2)は、幼児のふくらはぎ上くらいまでの長さとなるようにした。
【００２１】
レギンス部(1)の裾には全周にわたって帯状にレースのフリル(3)が付けられている。レギンス部(1)と靴下部(2)とはデザイン的に一体感の高くなるデザインにすることが望ましい。材質としては吸湿や肌さわりを考えて主に綿を使用したが、フリル(3)など部分的に化学繊維素材も使用した。いずれにしても素材は特に限定されるものではない。
【００２２】
レギンス部(1)の裾は靴下部(2)の上部に上から重ねて着用する。これにより靴下部(2)の上端付近はレギンス部(1)に上から覆われる状態となる。図２は本実施例を重ねて着用する状態を示した図である。着用させる順番は特に限定されないが、先に靴下部(2)を履かせてからレギンス部(1)を履かせるとやりやすい。
【００２３】
レギンス部(1)と靴下部(2)とを統一感のあるデザインで製造することにより見た目には一体のタイツのように見える。更に、フリル(3)によりレギンス部(1)と靴下部(2)との境目がわかりにくくなる。そのためデザイン的に一体性が高くなり違和感がなく、お出かけ着としても着用できる。
【００２４】
幼児は靴下の上端部を触って遊ぶことや、他方の足で押し下げることにより靴下を勝手に脱いでしまうことがある。しかし、本考案例では靴下部(2)の上部はレギンス部(1)により覆われており外部に露出していない。そのため幼児が靴下部(2)の上部を触って引き下ろすことや他方の足で押し下げることを防止することができる。
【００２５】
また、多くの乳幼児は脚を擦るという癖がある。脚を擦った際にレギンス部(1)の裾部分がめくれ上がってしまうことも考えられる。寒い時期であれば、めくれ上がった箇所から脚が冷えるということもあり得る。しかし、本考案ではレギンス部(1)の裾にフリル(3)をつけてカバーしているため、脚を擦った時でもフリル(3)がレギンス部(1)の裾を覆っているので、めくれ上がりにくくなる。
【００２６】
レギンス部(1)の裾がめくれ上がりにくいため、レギンス部(1)が靴下部(2)の上端付近を覆った状態を維持でき、靴下部(2)が脱げてしまうことも抑制することができる。つまりフリル(3)はデザインの上で一体感を高めることや、可愛さを演出するだけではなく、レギンス部(1)の裾のめくれ上がりや、靴下部(2)が脱げてしまうことを防止するという機能を有している。
【００２７】
従来のタイツ(20)と異なり、本考案ではレギンス部(1)と靴下部(2)とを分離させることができる。そのため、必要に応じて靴下部(2)のみを脱がせて素足とさせることができる。  靴下部(2)だけを脱がせる際には、レギンス部(1)の裾を少しあげて靴下部(2)の上端を露出させると脱がせやすい。
【００２８】
靴下部(2)を脱いで素足にする場合でも、レギンス部(1)は履かせたままでよいので腰から足首付近までの保温効果を得ることができる。よって、従来のようにタイツごと脱がせて下半身を冷やしてしまうことなく裸足にすることができる。
【００２９】
レギンス部(1)を着用している幼児に靴下部(2)を履かせる際にも、レギンス部(1)を一旦脱がせる必要はない。その際にはレギンス部(1)の裾をあげる。たくし上げてもよいし、まくり上げてもよい。レギンス部(1)は、靴下部(2)と同様に伸縮性のある素材でできているため幼児の膝あたりまで容易にあげることができる。靴下部(2)を履かせた後にレギンス部(1)の裾をおろして靴下部(2)の上端付近を覆うようにする。
【００３０】
靴下部(2)だけ簡単に脱がせることや履かせることができるので、タイツ(20)に較べて脱着を素早く行うことができ親や保育士の負担が軽減される。特に複数の幼児の世話を行う託児所，保育園等においてその効果は大きい。また、幼児にとっても自由に動くことを拘束される時間が短いので不快感が少なくなり、履くことや脱ぐことを嫌がりにくくなる。そのため生き帰りの道中は靴下部(2)を履き、託児所，保育園では靴下部(2)を脱ぐという行為が、幼児にとっても違和感のない自然な行為となる。
【００３１】
販売するときには、レギンス部(1)と、そのレギンス部(1)とデザイン的に統一感のある複数の靴下部(2)をセットとして販売することが考えられる。１つのレギンス部(1)に対して複数の靴下部(2)があれば、足裏に汗をかいたときや汚れたときに靴下部(2)のみ履き替えさせることもできる。また、繰り返しの使用等により靴下部(2)に穴が開くなどした場合でも、靴下部(2)のみを交換するだけでよいので経済的である。
【実施例２】
【００３２】
図３は本実施例の幼児用下衣を示した図である。レギンス部(1)と靴下部(2)とが分離でき、レギンス部(1)の裾にフリル(3)が配されているという基本構成は実施例１と同様である。
【００３３】
本実施例ではデザイン上レギンス部(1)と靴下部(2)とに共通する模様を施している。これにより、両方着用した際の統一感が高くなり、レギンス部(1)と靴下部(2)とが別体であるとは気づかれにくいだけでなく、デザイン性が高まることによりお出かけ着として更に適したものとなる。
【００３４】
フリル(3)付近にはデザイン的なポイントとしてリボン(4)が配されている。リボン(4)を配することにより、デザイン的性が更に向上し、見た目に可愛くなる。
【００３５】
靴下部(2)の足裏部分(5)には滑り止め加工が施されており、滑りにくくなっている。この滑り止め加工は足裏部分にゴム質の塗料を塗布又はドット状にプリントすることにより行った。タイツと異なり小さな靴下部(2)のみに加工することができるので、加工が容易である。また、滑り止め加工された靴下部と滑り止め加工されていない靴下部とをセットを所持している場合は、床の状態や幼児の歩き方に合わせて適当な方の靴下部を適宜選んで着用させることができる
【産業上の利用可能性】
【００３６】
本考案の幼児用下衣は、幼児の年齢・体格，好み等に合わせて適宜サイズやデザインを変更することができる。また、時候にあわせて素材の種類，厚み，編み方などを変えることもできる。
【符号の説明】
【００３７】
１    レギンス部
２    靴下部
３    フリル
４    リボン
５    滑り止め加工が施された足底部分
【図１】
0003192045.tif 000003
【図２】
0003192045.tif 000004
【図３】
0003192045.tif 000005
【図４】
0003192045.tif 000006